(57)【特許請求の範囲】
【請求項１】
キャビネット本体の両側板部に各々配設される水平レール部と、前記水平レール部上を摺動自在の棚板と、を備え、前記水平レール部はキャビネット本体の略前端部から後端部にかけて設けられており、前記棚板の全長は同水平レール部の長さよりも大きくて、前記棚板はキャビネット本体の奥側へ向かって摺動させるとともに、同棚板後端がキャビネット本体の背板部に沿って略上方又は下方へ向かうように、同棚板が曲がるキャビネットであり、前記棚板は巻き板状のものであって、一つのブロック当たりの形状が断面略台形で上面が下面よりも大きいものであり、このブロックが複数個連なって設けられているものであることを特徴とするキャビネット。
【請求項２】
前記キャビネットには、前記棚板或いはキャビネット本体に、同棚板が任意の位置で摺動の抑制及び解除が可能な状態で係止されるような抑制手段を備えることを特徴とする請求項１記載のキャビネット。
【発明の詳細な説明】
【０００１】
【発明の属する技術分野】
本発明は内部に棚板部を有するキャビネットに関するものである。
【０００２】
【従来の技術】
従来から、背丈の高い瓶等を収納する時に、内部の棚板を外すことが出来るように、着脱自在の棚板を内部に備えているキャビネットは存在する。このものにあっては、この瓶を収納する際、棚板及び棚板を支持する為のダボを外し、これらを別の場所へ保管する必要があるので、保管場所をとり邪魔に感ずることがある。またダボを紛失してしまうこともある。
【０００３】
一方、棚板が奥行き方向に折曲し伸縮する折畳式棚板が、特開２０００−１７５７５３号公報に記載されている。このものにあっては、背丈の高い瓶等を収納する時、棚板の略中央部を山折りにして後退させる構造になっている。ところで、この折畳式棚板では、収納物の高い物の数量が少ない時でも、該棚板を折畳み後退させ、棚板としては使用できない状態となるので、使い勝手が悪い。
【０００４】
また棚板が、山折及び谷折を繰り返す蛇腹のような伸縮させることも考えられるが、棚板が縮んで山状態及び谷状態を繰り返すような状態になると、物を載置することが難しい。
【０００５】
また棚板をロールスクリーンのように巻き取る方式のものも考えられるが、巻き取られた状態のものはキャビネット内の空間を狭くすることがあり、好ましくない。特に棚板には物を載置する役割をするので、肉厚はスクリーンのような薄いものではなく、所定の厚さが要求される。従って肉厚を要する棚板を巻き取った状態のものは、キャビネット内の空間を狭くすることが顕著に表れやすく、好ましくない。
【０００６】
【発明が解決しようとする課題】
本発明は上記の問題点を解消するためのものであって、高さの高い収納物の数量に合わせて、必要な分だけ伸縮することができ、そして縮んだ状態においても略確実に物を載置でき、またキャビネット内の使用空間を抑制することの無い棚板を備えたキャビネットを提供するものである。
【０００７】
【課題を解決するための手段】
請求項１記載のキャビネットにあっては、キャビネット本体の両側板部に各々配設される水平レール部と、前記水平レール部上を摺動自在の棚板と、を備え、前記水平レール部はキャビネット本体の略前端部から後端部にかけて設けられており、前記棚板の全長は同水平レール部の長さよりも大きくて、前記棚板はキャビネット本体の奥側へ向かって摺動させるとともに、同棚板後端がキャビネット本体の背板部に沿って略上方又は下方へ向かうように、同棚板が曲がるキャビネットであり、前記棚板は巻き板状のものであって、一つのブロック当たりの形状が断面略台形で上面が下面よりも大きいものであり、このブロックが複数個連なって設けられているものであることを特徴とする。
【０００８】
このものにあっては、キャビネット本体の水平レール部上を摺動する棚板は、キャビネット本体の奥側へ摺動させると、棚板の後端が背板部に沿って上方または下方へ摺動し、棚板が曲がる。こうして、棚板は、水平レール部上で任意の長さの棚板を形成することができる。従って背の高い収納物の量に応じて、棚板を適宜キャビネット本体に対し、任意の位置まで摺動することができる。また棚板を使用しないときは、棚板を後方へ略全てスライドさせると、背板部に略沿った形状になるので、キャビネット内の空間を抑制することは抑えられる。
【０００９】
請求項２にあっては、請求項１記載のキャビネットにおいて、前記キャビネットには、前記棚板或いはキャビネット本体に、同棚板が任意の位置で摺動の抑制及び解除が可能な状態で係止されるような抑制手段を備えることを特徴とする。
【００１０】
このものにあっては、この抑制手段により、前記棚板が任意の位置で摺動を停止することができ、また可動させることもできる。したがって、背の高い収納物の量に応じて適宜棚板をスライドさせ、その状態で保持することができる。
【００１１】
【発明の実施の形態】
以下本発明の実施形態を図を用いて説明する。
【００１２】
キャビネット本体１の左側板１ａ内面、右側板１ｂ内面には、水平レール部２及び垂直レール部４が突設されている（図３）。水平レール部２は、キャビネット本体１の略前端部２ａから後端部２ｂにかけて設けられている。後端部２ｂは水平から上方に向かって湾曲しており、背板１ｃに当接している。一方垂直レール部４は、後述の棚板３の板厚ｔ分、背板１ｃから離して上下方向に平行に設けられている。垂直レール部４の上端部４ａはキャビネット１内部の上端近傍に存し、一方下端部４ｂは、前述の水平レール部２の後端部２ｂと略平行に湾曲している。
【００１３】
この下端部４ｂと後端部２ｂとの間隔は、後述の棚板３が湾曲できる程度大きさである。
【００１４】
また下端部４ｂは、後述の棚板３を、後端部２ｂまたは背板１ｃへ弾性的に押しつける押圧部４１を備えている（図５）。この押圧部４１は棚板３が水平レール部２または垂直レール部４上を自在に摺動することを抑制するものである。
【００１５】
この押圧部４１に関しては、例えば板バネのようなものであれば、押圧の度合いが強くなる。
【００１６】
この押圧部４１は、後述の棚板３の前端が後方へ押されたり、前方へ引かれると、弾性の効果で押圧が緩み、棚板３は摺動する。
【００１７】
棚板３は、巻き板状のものであって、一つのブロック３１当たりの形状が断面略台形で上面３ａが下面３ｂよりも大きいものであり、このブロック３１が複数個連なって設けられているものである（図４）。そしてブロック３１同士の連結部３２はブロック３１の幅方向に亘って設けられているものであり、可撓性の有するものである。なおこの棚板３の全長は、水平レール部２の長さよりも大きいものである。
【００１８】
この棚板３がキャビネット本体１の水平レール部２上または垂直レール部４上に設けられている（図２）。そして、棚板３を水平レール部２上を前後方向に摺動させることができる。また垂直レール部４に設けられた押圧部４１により、棚板３は任意の位置で固定される。従って、キャビネット本体１の前端から棚板３の前端までの距離ｓを、自在に変えることができる（図１）。
【００１９】
即ち押圧部４１は、棚板３が任意の位置で摺動の抑制及び解除が可能な状態で係止されるための抑制手段としての役割をするものである
このキャビネットＡを使用して収納する方法について述べる。収納物が背の低い収納物５０（例えば缶詰、食器類等）のみであると、棚板３の上側に載置することや、棚板３の下方に載置することができる（図１（ａ））。一方、背の高い収納物５１（例えばペットボトル、ガラス瓶等）と、背の低い収納物５０が、混在したような状態であるときは、収納物５１の個数や、収納物５１の占有する領域に応じて、棚板３を摺動させることにより距離ｓを適宜変更させて、この距離ｓに収納物５１を載置し、そして、収納物５０を、棚板３上面又は棚板３の下方に載置する。こうして収納物５０、収納物５１の量に応じて棚板３を摺動させることにより、最適な棚板３の領域を作り出すことができる。従って最適な収納空間を備えたキャビネットＡができあがる。
【００２０】
なお、棚板３の摺動を抑制する手段は、前述のような押圧部４１には限らない。参考例として、図６、７に示すものを説明する。棚板３の前端部の下面３ｂには、棚板３の横幅方向に亘って係止突部３３が突設されている（図６）。一方水平レール部２には、係止突部３３が着脱自在に嵌合する凹部２１が一定間隔をもって設けられている（図７）。従って所望の位置の凹部２１に係止突部３３を嵌合させることにより、棚板３の大きさを自在に設定することができる。この場合の抑制手段は係止突部３３と凹部２１である。勿論係止突部が水平レール部２に、凹部が棚板３に設けられているものであっても良い。
【００２１】
【発明の効果】
以上の説明により、本発明のキャビネットにあっては、キャビネット本体の両側板部に各々配設される水平レール部と、前記水平レール部上を摺動自在の棚板と、を備え、前記水平レール部はキャビネット本体の略前端部から後端部にかけて設けられており、前記棚板の全長は同水平レール部の長さよりも大きくて、前記棚板はキャビネット本体の奥側へ向かって摺動させるとともに、同棚板後端がキャビネット本体の背板部に沿って略上方又は下方へ向かうように、同棚板が曲がるので、キャビネット本体の水平レール部上を摺動する棚板は、キャビネット本体の奥側へ摺動させると、棚板の後端が背板部に沿って上方または下方へ摺動し、そして同棚板は両側板に沿って曲がる。こうして、棚板は、水平レール部上で任意の長さに形成することができ、背の高い収納物の量に応じて適宜キャビネット本体に対し任意の位置まで奥側へ摺動することができて、最適な収納空間を備えたキャビネットができる。また棚板を使用しないときは、棚板を後方へ略全てスライドさせると、背板部に略沿った形状になるので、キャビネット内の空間を抑制することは抑えられる。更に、棚板は巻き板状のものであって、一つのブロック当たりの形状が断面略台形で上面が下面よりも大きいものであり、このブロックが複数個連なって設けられているものである。これにより、棚板は水平レール部上を摺動自在となり、その上面に収納物を載置することができる。
【図面の簡単な説明】
【図１】本発明の実施形態に係るキャビネットの使用状態を示す説明図であって、（ａ）は背の低い収納物を収納した状態、（ｂ）は背の高い収納物と背の低い収納物を混在させて収納した状態を示す。
【図２】同上のキャビネットを示す斜視図である。
【図３】同上のキャビネットに係るキャビネット本体の一例を示す斜視図である。
【図４】同上のキャビネットに係る棚板の一例を示す斜視図である。
【図５】同上のキャビネットに係る垂直レール部を示す斜視図である。
【図６】  同上のキャビネットに係る棚板の別の参考例を示すものであり、（ａ）は上方から見た斜視図、（ｂ）は下方から見た要部を示す斜視図である。
【図７】  同上のキャビネットに係るキャビネット本体の別の参考例を示す斜視図である。
【符号の説明】
Ａ      キャビネット
１      キャビネット本体
１ａ    側板（左側板）
１ｂ    側板（右側板）
１ｃ    背板部
２      水平レール部
３      棚板
４１    抑制手段
【図１】
0003888212.tif 000002
【図２】
0003888212.tif 000003
【図３】
0003888212.tif 000004
【図４】
0003888212.tif 000005
【図５】
0003888212.tif 000006
【図６】
0003888212.tif 000007
【図７】
0003888212.tif 000008